(57)【特許請求の範囲】
【請求項１】
基体に配設された共通端子の立上り片に可動接片を枢動自在に支承し、前記立上り片を挟んで前記可動接片と対向位置に設けた作動片と前記可動接片との間に引張りバネを連結することにより接触機構部を形成し、プランジャに設けた押圧部により押圧させて、前記可動接片を反転させ、もって該可動接片と接触する固定接点を切替えるスイッチ機構において、前記基体の略中央に長孔をあけ、下部に段部を、上面に支持軸を、一体成形によりそれぞれ形成した切替片の前記支持軸に上方よりコイルバネを挿入し、前記長孔の上方から前記切替片を挿入して前記段部で前記基体に保持させ、その上方から貫通孔を有した押圧片に前記支持軸を挿入することで該押圧片に弾性を持たせ、前記切替片を前記長孔に沿うようにスライドさせることで前記押圧片もスライドさせ、前記押圧片を押圧するために形成しておいた前記プランジャの押圧部が、前記作動片から前記引張りバネの間を移動する前記押圧片を介し押圧することで操作力を選択することができるスイッチ機構。
【発明の詳細な説明】
【技術分野】
【０００１】
本発明は、プランジャに設けた押圧部が、基体に設けた長穴に挿入し保持させ、作動片と引張りバネ間をスライド可能とした押圧片を介して押圧し、前記引張りバネに連結する可動接片を反転させ電路の開閉を行うスイッチ機構に関するものである。
【背景技術】
【０００２】
スイッチ基体に配設された共通端子の立上り片に可動接片を枢動自在に支承し、前記立上り片を挟んで前記可動接片と対向位置に設けた作動片と前記可動接片との間に引張りバネを連結することにより、前記作動片をプランジャに設けた押圧部により押圧させることにより前記可動接片を反転させ、電路の開閉を行っていた。
【特許文献１】実開昭５８−１８２３２１
【発明の開示】
【発明が解決しようとする課題】
【０００３】
しかしながら、上記のような従来のスイッチ機構は、プランジャに設けた押圧部が作動片を押圧することにより前記可動接片を反転させ電路の開閉を行っていたため、操作力が同一のものしか製造することができなかった。そこで本発明はプランジャおよび基体の構造に特徴を持たせ、操作力を容易に選択することができるスイッチ機構を提供することを目的とする。
【課題を解決するための手段】
【０００４】
本発明は、上記目的を達成するために、プランジャに設けた押圧部が、基体に設けた長穴に挿入し保持させ、作動片と引張りバネ間の上部をスライド可能とした押圧片を介して押圧し可動接片を反転させることで、操作力を容易に選択できるようにした。
【発明の効果】
【０００５】
（１）本発明のスイッチ機構はプランジャに押圧部をあらかじめ形成しておき、作動片と引張りバネ間上方をスライド可能とした切替片を基体に保持させ、該切替片の上部に配設した押圧片を介して前記押圧部が接触機構部を押圧することによりユーザが操作力を容易に選択することができる。操作力の違いについて、例えば、作動片を押圧する時は、該作動片が引張りバネと連結して、該引張りバネを反転させ、さらに可動接片を反転させるための操作力が大きくなるが、引張りバネを押圧する時は、操作力がそのまま可動接片に伝わることにより、小さい操作力かつ小さいストロークで前記可動接片を反転させることができる。
（２）任意の操作力を選択可能なので、ユーザの使用する用途を拡大することができる。
（３）一つのスイッチで任意の操作力を選択可能なので、操作力の異なるスイッチをそれぞれ製造する必要がなく、在庫管理がしやすくコストの削減にも繋げることができる。
（４）切替片に一体成形により設けた段部下部の凸部と基体の長孔内側面に設けた凹部が、前記切替片をスライドさせて嵌着する構造としたので、明瞭な切替感を得ることができる。
【発明を実施するための最良の形態】
【０００６】
本発明のスイッチ機構はスイッチ基体に配設された共通端子の立上り片に可動接片を枢動自在に支承し、前記立上り片を挟んで前記可動接片と対向位置に設けた作動片と前記可動接片との間に引張りバネを連結することにより接触機構部を形成し、該接触機構部上方をスライドできる押圧片を介して、押圧部を有するプランジャが押圧することにより操作力を容易に選択することができる。
【実施例】
【０００７】
以下、本発明の実施例について、図面を参照しながら詳細に説明する。
【０００８】
図１は本発明のスイッチ機構を使用した押ボタンスイッチの分解斜視図、図２は本発明のスイッチ機構におけるプランジャの裏面図、図３は本発明のスイッチ機構における端子側を下にした上面図、図４は本発明のスイッチ機構を使用した押ボタンスイッチの作動片上方に押圧片をスライドさせ図３におけるＡ−Ａ’で切断した時の押圧前の断面図、図５は本発明のスイッチ機構を使用した押ボタンスイッチの作動片上方に押圧片をスライドさせ図３におけるＢ−Ｂ’で切断した時の押圧前の断面図である。
【０００９】
図１、図２、図３、図４、図５に示すように、基体８に共通端子１３および接触端子１２を上方より挿入し嵌着し、前記共通端子１３の立上り片１３ａに可動接片９を枢動自在に支承し、前記立上り片１３ａを挟んで前記可動接片９と対向位置に設けた作動片１１の湾曲部１１ａと前記可動接片９の孔９ａとの間に引張りバネ１０を連結することにより接触機構部を設ける。前記基体８に設けた長孔８ａには角形の支持軸５ａ、凸部５ｂ、段部５ｄが一体成形されている切替片５が上方より挿入され、前記段部５ｄにより前記基体８に保持され、また前記支持軸５ａには上方より弾性部材６が挿入され、さらにその上方より貫通角孔７ａを有した押圧片７が該貫通角孔７ａを通して前記支持軸５ａに挿入され、前記押圧片７が上方より押圧されると前記弾性部材６の働きにより弾性を持つ。そして、前記切替片５をスライドさせると、前記段部５ｄ下部に設けられた凸部５ｂと前記長孔８ａ内側面に設けられた凹部８ｂが嵌着することにより、前記押圧片７を前記作動片１１上方から前記引張りバネ１０上方間へと移動させることが可能となる。前記基体８の凸起８ｃにはコイルバネ４を介してプランジャ３の凸起３ａを配設し、上下動自在となるよう弾性を持たせ、前記基体８のガイド溝８ｄに前記プランジャ３のガイド棒３ｂを挿入する。さらに前記プランジャ３のガイド片３ｃにハウジング２内側面に設けられた溝（図示なし）が案内されるように前記ハウジング２が上方から被せられる。さらに該ハウジング２の上方に突出した前記プランジャ３の上部側面の凸片３ｄとボタン１内部側面の凹部（図示なし）が嵌着される。また、前記ハウジング２下面と前記基体８下面との間にできた隙間には前記基体８が抜け落ちないように接着剤により接着がなされている。
【００１０】
上記のように本発明のスイッチ機構を用いた押ボタンスイッチを構成し、図４のように前記切替片５をスライドさせ、前記押圧片７を作動片１１の上方へ配設した状態から前記ボタン１を押圧すると図６に示すように前記プランジャ３の押圧部３ｅが前記押圧片７を介して前記作動片１１の湾曲部１１ａを押圧し該作動片１１が押し下げられ、その結果、可動接片９の接点９ｂが引張りバネ１０の反転作用により接触端子１２に配設された固定接点１２ａと接触し電路の開閉が行われる。
【００１１】
次に、図７に示すように前記切替片５をスライドさせ前記押圧片７を前記引張りバネ１０の上方へ配設した状態から前記ボタン１を押圧すると図８に示すように前記プランジャ３の押圧部３ｅが前記押圧片７を介して前記引張りバネ１０を押圧し、前記可動接片９のみが反転し該可動接片９の前記接点９ｂが前記接触端子１２の固定接点１２ａと接触し電路の開閉を行う。よって図４、図６に示した前記作動片１１の湾曲部１１ａを押圧してその付勢により前記引張りバネ１０を反転させて前記可動接片９の接点９ｂを前記接触端子１２の固定接点１２ａと接触させていた方法よりも、前記引張りバネ１０の反転がなく、前記可動接片９のみが反転し前記固定接点１２ａと接触するので操作力を軽くすることができる。また、前記押圧片７は前記立上り片１３ａに接触する構造となっており、前記ボタンの過押圧を防いでいる。
【００１２】
本発明のスイッチ機構を使用した押ボタンスイッチのストロークと操作力の関係を表したグラフが図９である。図９に示すように、切替片５をスライドさせ前記押圧片７を作動片１１の上方へ配設した状態からボタン１を押圧すると、プランジャ３の押圧部３ｅが押圧片７を介し作動片１１の湾曲部１１ａを押圧し、ストロークが大きくなるにつれ引張りバネ１０が引っ張られることにより操作力も大きくなり、引張りバネ１０が反転し可動接片９が固定接点１２ａと接触すると操作力も小さくなる。
【００１３】
次に、切替片５をスライドさせ前記押圧片７を前記引張りバネ１０の上方へ配設した状態からボタン１を押圧するとプランジャ３の押圧部３ｅが押圧片７を介し直接前記引張りバネ１０を押圧し、前記可動接片９の前記接点９ｂが前記接触端子１２の固定接点１２ａと接触するまで反転する。よってストロークと操作力は小さいまま電路の開閉が行われる。
【００１４】
本発明は上記実施例に限定されるものではなく、本発明の趣旨に基づいて種々の変形が可能である。これらを本発明の方法の範囲から排除するものではない。
【産業上の利用可能性】
【００１５】
本発明のスイッチ機構は基体に配設された共通端子の立上り片に可動接片を枢動自在に支承し、前記立上り片を挟んで前記可動接片と対向位置に設けた作動片と前記可動接片との間に引張りバネを連結することにより接触機構部を形成し、前記作動片から前記引張りバネの間を押圧できるように該接触機構部上をスライドできる押圧片を介して、押圧部を有するプランジャが押圧することにより操作力を容易に選択することができる。
【図面の簡単な説明】
【００１６】
【図１】本発明のスイッチ機構を使用した押ボタンスイッチの分解斜視図である。
【図２】本発明のスイッチ機構におけるプランジャの裏面図である。
【図３】本発明のスイッチ機構における押ボタンスイッチの端子側を下にした上面図である。
【図４】本発明のスイッチ機構を使用した押ボタンスイッチの作動片上方に押圧片をスライドさせ図３におけるＡ−Ａ’で切断した時の押圧前の断面図である。
【図５】本発明のスイッチ機構を使用した押ボタンスイッチの作動片上方に押圧片をスライドさせ図３におけるＢ−Ｂ’で切断した時の押圧前の断面図である。
【図６】本発明のスイッチ機構を使用した押ボタンスイッチの作動片上方に押圧片をスライドさせた時の押圧後の断面図である。
【図７】本発明のスイッチ機構を使用した押ボタンスイッチの引張りバネ上方に押圧片をスライドさせた時の押圧前の断面図である。
【図８】本発明のスイッチ機構を使用した押ボタンスイッチの引張りバネ上方に押圧片をスライドさせた時の押圧後の断面図である。
【図９】本発明のスイッチ機構を使用した押ボタンスイッチのストロークと操作力の関係を表したグラフである。
【符号の説明】
【００１７】
１  ボタン
２  ハウジング
３  プランジャ
３ａ、８ｃ  凸起
３ｂ  ガイド棒
３ｃ  ガイド片
３ｄ  凸片
３ｅ  押圧部
４  コイルバネ
５  切替片
５ａ  支持軸
５ｂ  凸部
５ｃ  丸孔
５ｄ  段部
６  弾性部材
７  押圧片
７ａ  貫通角孔
８  基体
８ａ  長孔
８ｂ  凹部
８ｄ  ガイド溝
９  可動接片
９ａ  孔
９ｂ  接点
９ｃ  折曲片
１０  引張りバネ
１１  作動片
１１ａ  湾曲部
１２  接触端子
１２ａ  固定接点
１３  共通端子
１３ａ  立上り片
【図１】
0004553310.tif 000002
【図２】
0004553310.tif 000003
【図３】
0004553310.tif 000004
【図４】
0004553310.tif 000005
【図５】
0004553310.tif 000006
【図６】
0004553310.tif 000007
【図７】
0004553310.tif 000008
【図８】
0004553310.tif 000009
【図９】
0004553310.tif 000010